(57)【要約】      （修正有）【課題】アンプルの頭部を折って薬剤を取り出すための安全性に優れたアンプルカッターを提供する。【解決手段】アンプル用安全カッターは、カッター本体１０を有し、フレームの相対する上側及び下側にそれぞれ板面１１が設けられ、これらの板面１１にそれぞれ、内径が一端から他端へ行くほど次第に小さくなるように、互いに対応する細長状の切り穴１３が形成され、各該切り穴の相対する両側の縁部に切り縁部１３１が形成されるものであり、この切り穴１３の切り縁部１３１によりアンプル５０の首部に傷を付けて頭部５３を折り、アンプル５０を安全に開封することができる。【選択図】図２
0003189782.tif 000002
【実用新案登録請求の範囲】
【請求項１】
剛性フレームであって、該フレームの相対する上側及び下側にそれぞれ板面が設けられ、これらの板面にそれぞれ、内径が一端から他端へ行くほど次第に小さくなるように、互いに対応する細長状の切り穴が形成され、各該切り穴の相対する両側の縁部に切り縁部が形成される、カッター本体を有することを特徴とするアンプル用安全カッター。
【請求項２】
前記カッター本体の両側にそれぞれ細長状の側壁が形成され、前記細長状の側壁に観察窓が形成されることを特徴とする請求項１に記載のアンプル用安全カッター。
【請求項３】
前記カッター本体の前端にフラット状のドライバーが延設されることを特徴とする請求項１または２に記載のアンプル用安全カッター。
【請求項４】
前記カッター本体における上側の板面及び下側の板面にそれぞれ対応する抜き穴が形成され、各該抜き穴の内周面に複数の係合歯が環状に配列するように設けられ、且つ、上側の板面の抜き穴の内径が下側の板面の抜き穴の内径より大きいことを特徴とする請求項３に記載のアンプル用安全カッター。
【請求項５】
前記カッター本体における上側の板面及び下側の板面にそれぞれ対応する抜き穴が形成され、各該抜き穴の内周面に複数の係合歯が環状に配列するように設けられることを特徴とする請求項１に記載のアンプル用安全カッター。
【請求項６】
前記カッター本体を被覆するようにカバーが取り付けられ、
該カバーは、可撓性を備え、相対する上側及び下側にそれぞれプレートが設けられ、これらのプレートの間に収容空間が形成され、該収容空間の後端に外部と連通する開口が形成され、また、これらのプレートにそれぞれ、内径が一端から他端へ行くほど次第に小さくなるように、互いに対応する細長状の挟持穴が形成され、各該挟持穴の相対する両側の縁部に波状の挟持縁部が形成され、且つ、該挟持穴の内径が切り穴の内径より大きいと共に、切り穴が挟持穴の範囲内に位置することを特徴とする請求項１に記載のアンプル用安全カッター。
【請求項７】
前記カッター本体の両側及びカバーの両側に細長状の側壁それぞれ細長状の側壁が形成され、前記カッター本体及びカバーにおける細長状の側壁にそれぞれ対応する観察窓が形成されることを特徴とする請求項６に記載のアンプル用安全カッター。
【請求項８】
前記カッター本体の前端にフラット状のドライバーが延設され、
前記カバーの前端におけるドライバーに対応する箇所に突出穴が形成されることを特徴とする請求項６または７に記載のアンプル用安全カッター。
【請求項９】
前記カッター本体及びカバーにそれぞれ対応する一対の抜き穴が形成され、各該抜き穴の内周面に複数の係合歯が環状に配列するように設けられ、且つ、各該対の抜き穴のうちに上側の抜き穴の内径が下側の抜き穴の内径より大きいことを特徴とする請求項８に記載のアンプル用安全カッター。
【請求項１０】
前記カッター本体及びカバーにそれぞれ対応する一対の抜き穴が形成され、各該抜き穴の内周面に複数の係合歯が環状に配列するように設けられることを特徴とする請求項６に記載のアンプル用安全カッター。
【考案の詳細な説明】
【技術分野】
【０００１】
本考案は、特にアンプルの首に傷をつけて頭部を折って内部の薬剤を取り出すためのアンプルカッターに関するものである。
【背景技術】
【０００２】
アンプル(ampoule)は、通常に本体、首部、頭部を有する、ガラスからなる容器であり、そのガラスの容器に注射剤や薬剤などの溶液を入れた後に先端を熔封したものである。従来のアンプルを使用する時に、まずカッターを用いて首部に傷を付けて消毒してから頭部を折って内部の薬剤を取り出すことができる。既存のアンプルは、アンプルの首部に切り目を付けていると共に、頭部にその切り目を表示するためのマークも付けており、使用者がその切り目に沿って頭部を折ると、薬剤を取り出すことができる。例えば、医者が患者に注射を打つ時、まずアンプルの首部を切って頭部を折ってから薬液を取り出して注射することができる。
【考案の概要】
【考案が解決しようとする課題】
【０００３】
しかしながら、通常にアンプルがガラスからなることから、首部に傷を付けて頭部を折ると、首部の周りをギザギザ跡または鋭い跡になってしまい、医者などの使用者が不注意で怪我をしてしまう虞があり、使用上、非常に危険であり、安全性を高める必要があった。
【課題を解決するための手段】
【０００４】
上述した問題を解決するために、本考案に係るアンプル用安全カッターは、剛性フレームであって、該フレームの相対する上側及び下側にそれぞれ板面が設けられ、これらの板面にそれぞれ、内径が一端から他端へ行くほど次第に小さくなるように、互いに対応する細長状の切り穴が形成され、各該切り穴の相対する両側の縁部に切り縁部が形成される、カッター本体を有するものである。
【０００５】
かかるアンプル用安全カッターにおいて、前記カッター本体の細長状の側壁に観察窓が形成されることが好ましい。
【０００６】
かかるアンプル用安全カッターにおいて、前記カッター本体の前端にフラット状のドライバーが延設されることが好ましい。
【０００７】
かかるアンプル用安全カッターにおいて、前記カッター本体における上側の板面及び下側の板面にそれぞれ対応する抜き穴が形成され、各該抜き穴の内周面に複数の係合歯が環状に配列するように設けられ、且つ、上側の板面の抜き穴の内径が下側の板面の抜き穴の内径より大きいことが好ましい。
【０００８】
かかるアンプル用安全カッターにおいて、前記カッター本体における上側の板面及び下側の板面にそれぞれ対応する抜き穴が形成され、各該抜き穴の内周面に複数の係合歯が環状に配列するように設けられることが好ましい。
【０００９】
かかるアンプル用安全カッターにおいて、
前記カッター本体を被覆するようにカバーが取り付けられ、
該カバーは、可撓性を備え、相対する上側及び下側にそれぞれプレートが設けられ、これらのプレートの間に収容空間が形成され、該収容空間の後端に外部と連通する開口が形成され、また、これらのプレートにそれぞれ、内径が一端から他端へ行くほど次第に小さくなるように、互いに対応する細長状の挟持穴が形成され、各該挟持穴の相対する両側の縁部に波状の挟持縁部が形成され、且つ、該挟持穴の内径が切り穴の内径より大きいと共に、切り穴が挟持穴の範囲内に位置することが好ましい。
【００１０】
かかるアンプル用安全カッターにおいて、
前記カッター本体及びカバーにおける細長状の側壁にそれぞれ対応する観察窓が形成されてもよい。
【００１１】
かかるアンプル用安全カッターにおいて、
前記カッター本体の前端にフラット状のドライバーが延設され、
前記カバーの前端におけるドライバーに対応する箇所に突出穴が形成されることが好ましい。
【００１２】
かかるアンプル用安全カッターにおいて、
前記カッター本体及びカバーにそれぞれ対応する一対の抜き穴が形成され、各該抜き穴の内周面に複数の係合歯が環状に配列するように設けられ、且つ、各該対の抜き穴のうちに上側の抜き穴の内径が下側の抜き穴の内径より大きいものであってもよい。
【００１３】
かかるアンプル用安全カッターにおいて、
前記カッター本体及びカバーにそれぞれ対応する一対の抜き穴が形成され、各該抜き穴の内周面に複数の係合歯が環状に配列するように設けられてもよい。
【考案の効果】
【００１４】
上述した構造有すれば、本考案に係るアンプル用安全カッターは以下の効果を提供できる。
１．カッター本体の相対する両側にそれぞれ切り穴が形成されることから、梃子の原理によって、これらの切り穴を介して簡単にアンプルの首部を折って、アンプルを安全に開封することができる。
２．カッター本体の切り穴の内径が一端から他端へ行くほど次第に小さくなると共に、該切り穴の相対する両側の縁部に波状の切り縁部を有することから、サイズが異なるアンプルの頭部を挟持することができ、様々なアンプルに適用することから、使用上の利便性に優れた。また、カッター本体に上下相対する一対の切り穴を備え、アンプルの首部及び頭部が切り穴に貫設する時に、頭部と上側の切り穴との隙間が首部と下側の切り穴との隙間より大きいことから、この状態において、首部を折っても砕かなく、アンプルを開封する安全性を高める。
３．前記カッター本体及びカバーにそれぞれ対応する一対の抜き穴を備えることから、注射器６０の針キャップ６１を抜き穴１５に挿し込んでねじると、針キャップ及び針頭を引き取って回収することができる。
４．カッター本体に観察窓を備えることから、アンプルをカッター本体に貫設する時に、使用者が観察窓を通ってアンプルのマークを見ながら、首部及び頭部の折り方向を判断することができ、簡単にアンプルの首部を折ってアンプルを安全に開封することができる。
５．カッター本体の前端にドライバーを備え、該ドライバーにより薬液瓶のキャップを開き、薬液を取り出すことができる。
【図面の簡単な説明】
【００１５】
【図１】本考案に係るアンプル用安全カッターの斜視図である。
【図２】本考案に係るアンプル用安全カッターの上面視分解斜視図である。
【図３】本考案に係るアンプル用安全カッターの下面視分解斜視図である。
【図４】本考案に係るアンプル用安全カッターの部分断面斜視図である。
【図５】本考案に係るアンプル用安全カッターにおいて、アンプルを開封するための操作状態を示す斜視図である。
【図６】本考案に係るアンプル用安全カッターにおいて、針キャップを抜き穴に挿し込んだ状態を示す斜視図である。
【図７】本考案に係るアンプル用安全カッターにおいて、ドライバーを用いて薬液瓶のキャップを開いた状態を示す斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１及び図４に示すように、本考案に係るアンプル用安全カッターは、カッター本体１０及びカバー２０を有し、該カバー２０がカッター本体１０を被覆するように取り付けられる。
【００１８】
図２に示すように、既存のアンプル５０は、ボトル５１、首部５２、頭部５３を備え、また、アンプルのメーカーは、切り目を表示するために、ボトル５１にマーク５４が付けられる。
【００１９】
図２乃至図４に示すように、前記カッター本体１０は、角丸矩形及び細長状の剛性フレームであり、該フレームの相対する上側及び下側にそれぞれ板面１１が設けられ、これらの板面１１の間にスペース１２が形成され、各該板面１１に細長状の切り穴１３が形成され、該切り穴１３は、内径を一端から他端へ行くほど次第に小さくなると共に、板面１１の三分の二ほど延出し、且つ、穴の相対する両側の縁部に波状の切り縁部１３１が形成され、この切り縁部１３１を有すれば、サイズが異なるアンプル５０の頭部５３を挟持することができ、さらに、該カッター本体１０の両側にそれぞれ細長状の側壁が形成され、該カッター本体１０における一側の細長状の側壁にスペース１２が見える観察窓１４が形成される。
【００２０】
前記カッター本体１０の後端における上板面１１及び下板面１１にそれぞれ対応する抜き穴１５が形成され、各該抜き穴１５の内周面に複数の係合歯１５１が環状に配列するように設けられ、これらの係合歯１５１が注射器の針キャップに係合することができる。また、上板面１１の抜き穴１５の内径が下板面１１の抜き穴１５の内径より大きいものであるので、注射器をカッター本体１０の上方から抜き穴１５に挿設することができる。該カッター本体１０における下板面１１の切り穴１３と抜き穴１５との間に、該切り穴１３に向かうＣ字形のスリット１１１を切り欠いてタブ１１２が設けられ、該タブ１１２の底面に柱状の係合部１１３が凸設される。該カッター本体１０の下板面１１の前端にフラット状のドライバー１６が一体形成に前方へ延設され、該カッター本体１０の下板面１１の底面における長手方向の中央線の両端にそれぞれ位置決め部１７が凸設され、該カッター本体１０の後端に掛けリング１８が取り付けられる。
【００２１】
前記カバー２０は、カッター本体１０の形状及び寸法に合っており、ゴムまたはシリコーンなどの可撓性を備える材料からなるものであり、相対する上側及び下側にそれぞれプレート２１が設けられ、これらのプレート２１の間に収容空間２２が形成され、該収容空間２２の後端に外部と連通する開口が形成され、カバー２０及びカッター本体１０を組み合わせる時に、カッター本体１０を開口を通過してカバー２０に挿し込むことができる。該カバー２０における上プレート２１及び下プレート２１にそれぞれ細長状の挟持穴２３が形成され、該挟持穴２３は、内径を一端から他端へ行くほど次第に小さくなると共に、プレート２１の前端から後端へ延出し、且つ、穴の相対する両側の縁部に波状の挟持縁部２３１が形成され、この挟持縁部２３１を有すれば、サイズが異なるアンプル５０のボトル５１を挟持することができる。さらに、該挟持穴２３の内径が切り穴１３の内径より大きいと共に、カバー２０がカッター本体１０を被覆する時に、切り穴１３が挟持穴２３の範囲内に位置する。
【００２２】
前記カバー２０の両側にそれぞれ細長状の側壁が形成され、該カバー２０における一側の細長状の側壁にカッター本体１０の観察窓１４に対応する観察窓２４が形成され、上プレート２１及び下プレート２１における抜き穴１５に対応する箇所に、該抜き穴１５の構造と同一であると共に、該抜き穴１５より大径の抜き穴２５が形成され、該カバー２０の前端下縁にドライバー１６に対対応する箇所に突出穴２６が形成され、ドライバー１６が突出穴２６を通過して外部に突出する。該カバー２０の下プレート２１の内面における長手方向の中央線の一端に位置決め溝２７が凹設され、該位置決め溝２７が位置決め部１７に対応するように形成され、この構造を有すれば、カッター本体１０及びカバー２０を組み合わせる時に、カッター本体１０とカバー２０とを位置決めて、カッター本体１０をカバー２０の収容空間２２に挿し込むことができ、カッター本体１０を間違い方向からカバー２０の収容空間２２に挿し込むことを防止する。
【００２３】
本考案に係るアンプル用安全カッターを使用する時に、カッター本体１０だけ使用してもよく、カッター本体１０及びカバー２０を組み合わせて使用してもよいが、カッター本体１０及びカバー２０を組み合わせる場合に、カッター本体１０をカバー２０に挿し込んで、係合部１１３が挟持穴２３の内縁に係合すると、図１及び図４に示すような実施例を構成できる。
【００２４】
図２及び図５に示すように、本考案に係るアンプル用安全カッターを使用する時に、まずアンプル５０のボトル５１をカバー２０の挟持穴２３の挟持縁部２３１のサイズに合っている箇所に貫設させる。このカバー２０は、可撓性を備えることから、アンプル５０をしっかり保持できると共に、アンプル５０を開封する過程において、アンプル５０が砕かれても使用者に傷を付かないような保護の効果を提供できる。
【００２５】
そして、アンプル５０の首部５２及び頭部５３をそれぞれ、カッター本体１０の切り穴１３の切り縁部１３１のサイズに合っている箇所に貫設させ、この時、使用者が観察窓１４を通ってアンプル５０のマーク５４を見ながら、首部５２及び頭部５３の折り方向を判断し、この後、梃子の原理によって、互いに相対する上側の切り穴１３及び下側の切り穴１３を介してアンプル５０の首部５２を折り、アンプル５０を安全に開封することができる。
【００２６】
本考案に係るアンプル用安全カッターは、切り穴１３の内径が一端から他端へ行くほど次第に小さくなると共に、切り穴１３の両側の縁部に波状の切り縁部１３１を形成することから、様々なサイズを有するアンプル５０に適用し、使用者がアンプル５０のサイズによって切り縁部１３１の適当な箇所を選択し、適当な切り縁部１３１によりアンプル５０の首部５２及び頭部５３を挟持しながら、首部５２を折ってアンプル５０を開封することができる。また、アンプル５０の首部５２及び頭部５３がカッター本体１０の切り穴１３に貫設する時に、頭部５３と上側の切り穴１３との隙間が首部５２と下側の切り穴１３との隙間より大きいことから、この状態において、首部５２を折っても砕かなく、アンプル５０を開封する安全性を高める。
【００２７】
一方、図６及び図４に示すように、本考案に係るアンプル用安全カッターは、抜き穴１５及び抜き穴２５を備えることから、注射器６０の針キャップ６１を抜き穴１５及び抜き穴２５に挿し込んでねじると、針キャップ及び針頭を引き取って回収することができる。
【００２８】
他方、図７に示すように、本考案に係るアンプル用安全カッターを用いて薬液瓶７０のアルミのキャップ７１に使用する場合には、カッター本体１０のドライバー１６により薬液瓶７０のキャップ７１を開き、薬液を取り出すことができる。
【符号の説明】
【００２９】
１０    カッター本体
１１    板面
１１１  スリット
１１２  タブ
１１３  係合部
１２    スペース
１３    切り穴
１３１  切り縁部
１４    観察窓
１５    抜き穴
１５１  係合歯
１６    ドライバー
１７    位置決め部
１８    掛けリング
２０    カバー
２１    プレート
２２    収容空間
２３    挟持穴
２３１  挟持縁部
２４    観察窓
２５    抜き穴
２６    突出穴
２７    位置決め溝
５０    アンプル
５１    ボトル
５２    首部
５３    頭部
５４    マーク
６０    注射器
６１    針キャップ
７０    薬液瓶
７１    キャップ
【図１】
0003189782.tif 000003
【図２】
0003189782.tif 000004
【図３】
0003189782.tif 000005
【図４】
0003189782.tif 000006
【図５】
0003189782.tif 000007
【図６】
0003189782.tif 000008
【図７】
0003189782.tif 000009